(57)【要約】【目的】デジタル情報の配信システムにおいて、受信側でデータを制御できる機構を設けることによって、一方的に受信するだけではなく制御プロセスを経た情報伝達を可能とする情報制御システムを提供すること。【構成】ＰＣにインストールされているブラウザ等でインターネット上に置かれているホームページ等を閲覧するとき、ホームページ内で削除したい情報（単語、関連情報等）を設定する手段と、ダウンロードされてくるデータの中から不必要な情報を削除する手段と、不必要な情報を削除したデータをブラウザ等で表示する手段を含んで情報制御システムを構成する。【選択図】      図１
2004213459.tif 000002
【特許請求の範囲】
【請求項１】
ＰＣにインストールされているブラウザ等でインターネット上に置かれているホームページ等を閲覧するとき、ホームページ内で削除したい情報（単語、関連情報等）を設定する手段と、ダウンロードされてくるデータの中から不必要な情報を削除する手段と、不必要な情報を削除したデータをブラウザ等で表示する手段を有することを特徴とする情報制御システム。
【請求項２】
地上デジタル放送やＢＳデジタル放送を受信するとき、それらの情報の中で不必要なデータを削除したい場合、削除したい情報（単語、関連情報等）を指定する手段と、送信されてくるデジタル情報の中から不必要な情報を削除する手段と、不必要な情報を削除したデジタルデータを再生する方法を有することを特徴とする情報制御システム。
【請求項３】
ＰＣやゲーム機、再生機等でＤＶＤやＣＤ−ＲＯＭを再生するとき、それらのデータの中から不必要な情報を削除した場合、削除したい情報（単語、関連情報等）を指定する手段と、再生前に不必要な情報を削除する手段と、削除された残りの情報を再生する手段とを有することを特徴とする情報制御システム。
【発明の詳細な説明】
【０００１】
【発明の属する技術分野】
本発明は、情報発信機構において受信側で制御を行えるような双方向の情報伝達方法を実現することができる情報制御システムに関する。
【０００２】
【従来の技術】
従来のデジタル情報発信システムでは、一方向に送信と受信が図られているものが多く、受信側で情報の制御を行うもの等は少なかった。
【０００３】
【発明が解決しようとする課題】
従って、受信時に知りたくない情報や見たくない情報を拒否することは難しかった。例えば、後で知りたいスポーツのゲームの結果や途中経過や子供が見るには不適格な表現、目に触れたくない情報等をフィルターに掛けて見えなくようにする一貫したシステムは未だ十分に確立していない。
【０００４】
本発明は上記事情に鑑みてなされたもので、その目的とする処は、デジタル情報の配信システムにおいて、受信側でデータを制御できる機構を設けることによって、一方的に受信するだけではなく制御プロセスを経た情報伝達を可能とする情報制御システムを提供することにある。
【０００５】
【課題を解決するための手段】
上記目的を達成するため、請求項１に係る情報制御システムは、ＰＣにインストールされているブラウザ等でインターネット上に置かれているホームページ等を閲覧するとき、ホームページ内で削除したい情報（単語、関連情報等）を設定する手段と、ダウンロードされてくるデータの中から不必要な情報を削除する手段と、不必要な情報を削除したデータをブラウザ等で表示する手段を有することを特徴とする。
【０００６】
請求項２に係る情報制御システムは、地上デジタル放送やＢＳデジタル放送を受信するとき、それらの情報の中で不必要なデータを削除したい場合、削除したい情報（単語、関連情報等）を指定する手段と、送信されてくるデジタル情報の中から不必要な情報を削除する手段と、不必要な情報を削除したデジタルデータを再生する方法を有することを特徴とする。
【０００７】
請求項３に係る制御システムは、ＰＣやゲーム機、再生機等でＤＶＤやＣＤ−ＲＯＭを再生するとき、それらのデータの中から不必要な情報を削除した場合、削除したい情報（単語、関連情報等）を指定する手段と、再生前に不必要な情報を削除する手段と、削除された残りの情報を再生する手段とを有することを特徴とする。
【０００８】
【発明の実施の形態】
以下に本発明の実施の形態を添付図面に基づいて説明する。
【０００９】
＜実施の形態１＞
図１は本発明の実施の形態１を説明するブロック図である。
【００１０】
図１において、１０１は受信したくない情報を登録する部分である。例えば、ＰＣの入力装置：キーボードを使って除外する単語等を入力し登録する。１０２はインターネット等の情報を送受信する通信部である。１０３はデータを閲覧するブラウザ等がインストールされていたり、ダウンロードしたデータを一時的に保存する記憶装置である。１０４はダウンロードされたインターネットのデータを閲覧するためのブラウザ等の再生部である。１０５はデータを制御する際の制御部である。１０６はこのシステム全体を制御する中央演算装置（ＣＰＵ）である。
【００１１】
図２は本発明の実施の形態１を説明する概念図である。
【００１２】
中央演算装置（ＣＰＵ）２０５でコントロールされるＰＣにはホームページの閲覧ソフト（ブラウザ）２０７がインストールされている。ＣＰＵの制御により図１の通信部１０２からインターネット２０１上の情報２０２をダウンロードし、２０７によって閲覧することができる。本実施の形態１では、入力装置２０６により、受信したくないデータを入力し、図１の制御処理１０５により、制御された情報２０３を閲覧装置２０７で見ることになる。
【００１３】
図３において、本発明を実施するためのフローを説明する。
【００１４】
（３０１）：図１の登録部１０１、即ち、図２のキーボード等の入力装置によって、削除したい情報を入力する。
【００１５】
（３０２）：図１の通信部１０２からインターネット２０１に接続する。これらの制御は２０５の中央演算装置が行う。
【００１６】
（３０３）：インターネット上にある情報２０２をダウンロードする。
【００１７】
（３０４）：ダウンロードした情報を記憶装置１０３に保存する。
【００１８】
（３０５）〜（３０８）：ダウンロードしたデータの内容の検索処理を行う。データの中にステップ３０１で登録した削除したい情報が含まれていれば、削除したい情報部分を削除して作業領域に確保する。又、削除したい情報が含まれていなければそのまま作業領域に再確保する。２０３は不必要な情報が削除されたデータの模式図である。
【００１９】
（３０９）：ダウンロードしたデータを最後まで調べたか確認を行う。
【００２０】
（３１０）：出力装置２０４からブラウザ等の閲覧ソフト２０７によって処理されたデータが表示される。
【００２１】
このフローチャートにおいては、ステップ（３０１）の削除したいデータを登録する処理と、ステップ（３０５）〜（３０８）のダウンロードしたデータの不必要な部分を取り除く処理が本実施の形態の特徴となる。
【００２２】
＜実施の形態２＞
次に、本発明の実施の形態２について説明する。
【００２３】
図４は本発明の実施の形態２を説明するブロック図である。
【００２４】
図４において、４０１は受信したくない情報を登録する部分である。例えば、リモコンのようなデバイスを使って除外する単語等を登録する。４０２はデジタル放送網等の情報を受信する通信部で、例えばアンテナ等がこれに相当する。４０３はダウンロードしたデータを一時的に保存する記憶装置である。４０４は受信したデータの再生部である。５０５はデータを制御する際の制御部である。４０６はこのシステム全体を制御する中央演算装置（ＣＰＵ）である。
【００２５】
図５は本発明の実施の形態２を説明する概念図である。
【００２６】
このシステムは中央演算装置（ＣＰＵ）４０６コントロールされる、ＣＰＵの制御により図４の通信部４０２、即ち、アンテナ５０７からデジタル放送網５０１上の情報５０２を受信する。本実施の形態２では、入力装置５０６により、受信したくないデータを入力し、図４の制御処理４０５により、制御された情報５０３を出力装置（モニター）５０４で見ることになる。
【００２７】
図６において、本発明を実施するためのフローを説明する。
【００２８】
（６０１）：図４の登録部４０１、即ち、図５のリモコン等の入力装置によって、削除したい情報を入力する。
【００２９】
（６０２）：図４の通信部４０２からデジタル通信網５０１に接続する。これらの制御は中央演算装置５０５が行う。
【００３０】
（６０３）：デジタル通信網５０１上にある情報５０２を受信する。
【００３１】
（６０４）：受信した情報を記憶装置４０３に保存する。
【００３２】
（６０５）〜（６０８）：ダウンロードしたデータの内容の検索処理を行う。データの中にステップ６０１で登録した削除したい情報が含まれていれば、削除したい情報部分を削除して作業領域に確保する。又、削除したい情報が含まれていなければそのまま作業領域に再確保する。５０３は不必要な情報が削除されたデータの模式図である。
【００３３】
（６０９）受信したデータを最後まで調べたか確認を行う。
【００３４】
（６１０）：再生部５０４、即ち、モニターから、処理されたデータが表示される。
【００３５】
このフローチャートにおいては、ステップ（６０１）の削除したいデータを登録する処理と、ステップ（６０５）〜（６０８）の受信したデータの不必要な部分を取り除く処理が本実施の形態の特徴となる。
【００３６】
＜実施の形態３＞
次に、本発明の実施の形態３について説明する。
【００３７】
図７は本発明の実施の形態３を説明するブロック図である。
【００３８】
図７において、７０１中受信したくない情報を登録する部分である。例えば、ＰＣのキーボードのようなデバイスを使って除外する単語等を入力し、登録する。７０２はメディア部で、例えばＣＤ−ＲＯＭＤＶＤとそれらのデバイス等がこれに相当する。７０３はメディア内のデータを一時的に保存する記憶装置である。７０４は受信したデータの再生部である。７０５はデータを制御する際の制御部である。７０６はこのシステム全体を制御する中央演算装置（ＣＰＵ）である。
【００３９】
図８は本発明の実施の形態３を説明する概念図である。
【００４０】
このシステムは中央演算装置（ＣＰＵ）８０２でコントロールされる。ＣＰＵの制御により図７のメディア部８０１内のデータ８０７を記憶装置に一時確保する。本実施の形態３では、入力装置８０６により、受信したくないデータを入力し、図７の制御処理７０５により、制御された情報８０３を出力装置（モニター）８０４の再生部８０５で見ることになる。
【００４１】
図９において、本発明を実施するためのフローを説明する。
【００４２】
（９０１）：図７の登録部７０１、即ち、図８のキーボード等の入力装置によって、削除したい情報を入力する。
【００４３】
（９０２）：図７のメディア部７０２からメディア内の情報８０７を記憶装置に一時保存する。これらの制御は中央演算装置８０２が行う。
【００４４】
（９０３）〜（９０６）：データの内容の検索処理を行う。データの中にステップ９０１で登録した削除したい情報が含まれていれば、削除したい情報部分を削除して作業領域に確保する。又、削除したい情報が含まれていなければそのまま作業領域に再確保する。図８の８０３は不必要な情報が削除されたデータの模式図である。
【００４５】
（９０７）：データを最後まで調べたか確認を行う。
【００４６】
（９０８）：再生部５０４、即ち、モニターから、再生ソフト８０５等を用いて、処理されたデータが表示される。
【００４７】
このフローチャートにおいては、ステップ（９０１）の削除したいデータを登録する処理と、ステップ（９０３）〜（９０６）の受信したデータの不必要な部分を取り除く処理が本実施例の特徴となる。
【００４８】
【発明の効果】
以上の説明で明らかなように、本発明によれば、従来のデジタル情報発信システムにおける一方向に受信や再生を行なうだけではなく、受信側で情報の制御を行うことができる。即ち、受信時に知りたくない情報や見たくない情報、例えば、後で知りたいスポーツのゲームの結果や途中経過や子供が見るには不適格な表現、目に触れたくない情報等をフィルターに掛けて見えなくようにすることが可能になる。
【図面の簡単な説明】
【図１】本発明の実施の形態１に係る情報制御システムの基本構成を示すブロック図である。
【図２】本発明の実施の形態１に係る情報制御システムの概念図である。
【図３】本発明の実施の形態１に係る情報制御システムの制御手順を示すフローチャートである。
【図４】本発明の実施の形態２に係る情報制御システムの基本構成を示すブロック図である。
【図５】本発明の実施の形態２に係る情報制御システムの概念図である。
【図６】本発明の実施の形態２に係る情報制御システムの制御手順を示すフローチャートである。
【図７】本発明の実施の形態３に係る情報制御システムの基本構成を示すブロック図である。
【図８】本発明の実施の形態３に係る情報制御システムの概念図である。
【図９】本発明の実施の形態３に係る情報制御システムの制御手順を示すフローチャートである。
【符号の説明】
１０１      登録部（入力部）
１０２      通信部
１０３      記憶装置
１０４      再生部
１０５      制御部
１０６      中央演算装置（ＣＰＵ）
２０１    インターネットの模式図
２０２    インターネット上にある情報の模式図
２０３    制御された情報の模式図
２０４    出力装置（モニター）の模式図
２０５    ＰＣ本体（ＣＰＵ）の模式図
２０６    キーボード等の入力装置の模式図
２０７    ブラウザ等の閲覧ソフトの模式図
４０１    登録部（入力部）
４０２    通信部
４０３    記憶装置
４０４    再生部
４０５    制御部
４０６    中央演算装置（ＣＰＵ）
４０７    デジタル通信網の模式図
４０８    デジタル通信網上にある情報の模式図
５０３    制御された情報の模式図
５０４    出力装置（モニター）の模式図
５０５    ＣＰＵの模式図
５０６    リモコン等の入力装置の模式図
５０７    アンテナの模式図
７０１    登録部（入力部）
７０２    メディア部
７０３    記憶装置
７０４    再生部
７０５    制御部
７０６    中央演算装置（ＣＰＵ）
８０１    メディアの模式図
８０２    ＰＣ本体（ＣＰＵ）の模式図
８０３    制御された情報の模式図
８０４    出力装置（モニター）の模式図
８０５    再生ソフトの模式図
８０６    キーボード等の入力装置の模式図
８０７    メディアの中の情報の模式図
【図１】
2004213459.tif 000003
【図２】
2004213459.tif 000004
【図３】
2004213459.tif 000005
【図４】
2004213459.tif 000006
【図５】
2004213459.tif 000007
【図６】
2004213459.tif 000008
【図７】
2004213459.tif 000009
【図８】
2004213459.tif 000010
【図９】
2004213459.tif 000011